(57)【要約】【課題】  傾斜して配置したダクト上における硬貨または異物の滑りを良好にするダクト構造を提供する。【解決手段】  コインダクト１１を支点１２を中心に回転自在に設け、スプリング１３によりコインダクト１１の上部を上方に付勢する。またコインダクト上部１１ａの両側にストッパ１４、１５を設け、コインダクト１１の回転を規制する。硬貨がコインダクト１１上に落下すると、コインダクト１１がストッパ下１５に突き当たって衝撃が与えられ、硬貨が下方へ滑り落ちていくとコインダクト１１が回転してストッパ上１４に突き当たり、衝撃が与えられる。【選択図】  図１
2006119833.tif 000002
【特許請求の範囲】
【請求項１】
傾斜面を有し、該傾斜面上に落下した物体を滑り落とすダクトの構造において、
前記ダクトを回転自在に支持し、
前記ダクトが自重により回転する方向と反対方向に該ダクトを付勢する付勢手段と、
前記ダクトの回転範囲を規制する規制部材とを設け、
前記物体が前記ダクト上に落下していないときは該ダクトは前記付勢手段により前記反対方向に移動しており、
前記物体が前記ダクト上に落下すると該ダクトは前記自重方向に回転して前記規制部材に突き当たることを特徴とするダクト構造。
【請求項２】
傾斜面を有し、該傾斜面上に落下した物体を滑り落とすダクトの構造において、
前記ダクトを回転自在に支持し、
前記ダクトの回転範囲を規制する規制部材と、
前記ダクトが付勢力により回転しようとする方向と反対方向に回転させる力を断続的に与える回転力付与手段とを設け、
前記回転力付与手段により与えられる力が除かれたときに前記ダクトは前記付勢力により前記規制部材に突き当たることを特徴とするダクト構造。
【請求項３】
前記付勢力は自重である請求項２記載のダクト構造。
【請求項４】
前記回転力付与手段はモータにより回転されるカムである請求項２または請求項３記載のダクト構造。
【発明の詳細な説明】
【技術分野】
【０００１】
本発明は、金融自動化機器や自動販売機等に設けられる硬貨処理装置において硬貨を落下して排出するダクト、或いは電子機器において異物を落下させて装置外に排出するダクト等のダクト構造に関する。
【背景技術】
【０００２】
従来、金融自動化機器においては、硬貨による取引を可能にするために硬貨処理装置を具備している。硬貨処理装置では、硬貨を装置外へ排出するためにダクトを使用し、ダクト上を落下してくる硬貨を受け皿部で受けるようにしている。図６は従来の金融自動化機器の受け皿部を示す外観斜視図、図７は硬貨の排出部を示す概略側面図である。
【０００３】
図６、図７において、金融自動化機器１には硬貨処理装置２が設けられており、硬貨処理装置２には硬貨が排出される排出口３が形成されている。排出口３の下方にはコインダクト４が傾斜した状態で配置されている。コインダクト４は断面がコの字形をしており、その下方には受け皿部５が配置されている。受け皿部５は装置外に露出しており、受け皿部５内の硬貨は外部から取り出し可能である。硬貨処理装置２の排出口３から排出される硬貨は、コインダクト４内の底面上に落下し、その底面上を滑り落ち、受け皿部５内へ落下する。これにより顧客は例えばおつりとして排出された硬貨を受け取ることができる。
【０００４】
このようなダクトは、硬貨を排出する手段として以外にも、例えば電子機器内に誤って入った異物を取り出す手段としても使用できる。ダクトを異物除去の手段として使用する例は、例えば特開平８−２０２９２２号公報に示されるものがある。
【特許文献１】特開平８−２０２９２２号公報
【発明の開示】
【発明が解決しようとする課題】
【０００５】
しかしながら従来のダクト構造においては、硬貨または異物がダクトに接触する接触面に埃が溜まった場合や、接触面が結露した場合には、硬貨または異物の滑りが悪くなり、受け皿部へ落下しない場合があるという問題があった。硬貨が落下しないと、顧客への返却額の不足ということになり、特に問題で、装置の信頼性の低下につながる。
【課題を解決するための手段】
【０００６】
上記課題を解決するために、本発明は、傾斜面を有し、該傾斜面上に落下した物体を滑り落とすダクトの構造において、前記ダクトを回転自在に支持し、前記ダクトが自重により回転する方向と反対方向に該ダクトを付勢する付勢手段と、前記ダクトの回転範囲を規制する規制部材とを設け、前記物体が前記ダクト上に落下していないときは該ダクトは前記付勢手段により前記反対方向に移動しており、前記物体が前記ダクト上に落下すると該ダクトは前記自重方向に回転して前記規制部材に突き当たることを特徴とするものである。
【０００７】
また他の発明は、傾斜面を有し、該傾斜面上に落下した物体を滑り落とすダクトの構造において、前記ダクトを回転自在に支持し、前記ダクトの回転範囲を規制する規制部材と、前記ダクトが付勢力により回転しようとする方向と反対方向に回転させる力を断続的に与える回転力付与手段とを設け、前記回転力付与手段により与えられる力が除かれたときに前記ダクトは前記付勢力により前記規制部材に突き当たることを特徴とするものである。
【発明の効果】
【０００８】
上記構成の本発明によれば、物体がダクト上に落下すると、その重量でダクトが回転して規制部材に突き当たるので、その衝撃で物体は良好にダクト上を滑り落ちる。そのため物体はダクト上に残留することはない。
【０００９】
また他の発明によれば、回転力付与手段によりダクトに対して回転する力が断続的に与えられるが、前記回転力付与手段により与えられる力が除かれたときにダクトは付勢力により規制部材に突き当てられる。このときの衝撃により物体は良好にダクト上を滑り落ち、そのため物体はダクト上に残留することはない。
【発明を実施するための最良の形態】
【００１０】
以下、本発明を実施するための形態を図面に従って説明する。以下に説明する実施の形態では、本発明のダクト構造として、金融自動化機器の硬貨処理装置から排出される硬貨を導くダクトの構造を例として説明する。図１は第１の実施の形態のダクト構造を示す概略構成図である。
【００１１】
図１において、金融自動化機器１には硬貨処理装置２が設けられており、硬貨処理装置２には硬貨が排出される排出口３が形成されている。排出口３の下方にはコインダクト１１が支点１２を中心に回転自在に配設されている。支点１２は金融自動化機器１の筐体に形成されている。コインダクト１１の上部１１ａはスプリング１３により上方向（矢印Ａ方向）へ、即ち、コインダクト１１が反時計回り方向に回転する方向に付勢されている。コインダクト１１の両側にはストッパ上１４およびストッパ下１５が設けられている。
【００１２】
ストッパ上１４およびストッパ下１５は金融自動化機器１の筐体に形成され、コインダクト１１の回転範囲を規制する。即ち、コインダクト１１は支点１２を中心にストッパ上１４とストッパ下１５の範囲を回転し、硬貨が排出されていない状態ではスプリング１３により上部１１ａがストッパ上１４に当接した状態になっている。
【００１３】
ストッパ下１５の取付け位置は、コインダクト１１がストッパ下１５に当接した場合のコインダクト１１の傾斜角度が、硬貨が自然に、即ち、コインダクト１１の底面上に置かれた硬貨が外的な力を加えられることなく、落下していく角度になるように設定されている。この角度は実験的に求められたものである。したがってコインダクト１１がストッパ上１４に当接している状態では、コインダクト１１の傾斜角度はより大きくなるので、コインダクト１１上の硬貨はさらに滑り落ち易くなる。
【００１４】
スプリング１３の引張り力の大きさは、硬貨処理装置２で使用される硬貨のうちの最軽量の硬貨が排出口３からコインダクト１１上に落下したときに、伸びて、使用される硬貨のうちの最重量の硬貨がコインダクト１１上に落下し、さらにコインダクト１１上を滑り落ちてコインダクト１１の下部１１ｂに到達したとき（まだコインダクト１１の底面上に残っているとき）に、コインダクト上部１１ａを上方へ引張り上げるような大きさに設定してある。
【００１５】
コインダクト１１の下方には受け皿部５が配置されている。受け皿部５は装置外に露出しており、受け皿部５内の硬貨は外部から取り出し可能である。
【００１６】
次に第１の実施の形態の動作をさらに図２を用いて説明する。図２は第１の実施の形態の動作を示す概略構成図である。図１は硬貨が排出されていない状態を示し、この状態ではコインダクト上部１１ａはストッパ上１４に当接している。ここで、図２に示すように、硬貨処理装置２の排出口３から硬貨１６が排出されると、硬貨１６はコインダクト１１の底面１１ｃ上に落下する。このとき硬貨１６の重量により、コインダクト１１は支点１２を中心に矢印Ｂ方向に回転し、コインダクト上部１１ａがストッパ下１５に突き当たる。
【００１７】
硬貨１６はコインダクト１１の底面１１ｃ上を落下するが、コインダクト上部１１ａがストッパ下１５に突き当たることにより、コインダクト１１に衝撃が加えられ、硬貨１６はより一層滑り落ち易くなる。
【００１８】
硬貨１６がコインダクト１１の下部１１ｂまで滑り落ちてくると、上部１１ａにかかる負荷が小さくなり、スプリング１３の反力によりコインダクト１１は反時計回り方向に回転し、上部１１ａがストッパ上１４に突き当たる。このときコインダクト１１に衝撃が加えられ、まだ底面１１ｃ上を滑り落ちる途中の硬貨１６はさらに落ち易くなって受け皿部５内に落下する。
【００１９】
以上のように第１の実施の形態によれば、硬貨が落下した際に硬貨の重量によりコインダクト１１がストッパ下１５に突き当たるようにするとともに、硬貨がコインダクト１１の下部まで滑り落ちると、スプリング１３の反力によりコインダクト１１がストッパ上１４に突き当たるようにしたので、コインダクト１１に衝撃が与えられ、コインダクト１１内に残存しようとする硬貨に振動が加えられ、硬貨はより滑り落ち易くなる。
【００２０】
上記の例では付勢手段として引張りコイルスプリング１３を用いたが、これ以外に押圧スプリングを反対側に設けるようにしてもよい。この場合、コイル状のスプリングでも板バネでもよいが、付勢力の大きさは上記のスプリング１３と同程度とする。
【００２１】
次に本発明の第２の実施の形態を説明する。図３は第２の実施の形態のダクト構造を示す概略構成図、図４は第２の実施の形態のカムを示す斜視図である。図３において、第２の実施の形態における金融自動化機器２１には、第１の実施の形態と同様に、硬貨処理装置２が設けられ、硬貨処理装置２の側部（図における手前側）にコインダクト１１が設けられている。コインダクト１１は硬貨処理装置２の硬貨の排出口３の下方に位置し、金融自動化機器２１の図示しない筐体に支点１２を中心に回転自在に設けられている。コインダクト１１の上部１１ａの両側には、第１の実施の形態と同様に、ストッパ上１４およびストッパ下１５が設けられている。
【００２２】
コインダクト１１の下側にはカム２２が配設されている。カム２２はモータ２３に取付けられ、モータ２３は図示しない金融自動化機器２１の筐体に取付けられている。カム２２は、その凸部２２ａがコインダクト１１の下面１１ｄに接触し、かつ凸部２２ａの反対側２２ｂがコインダクト１１の下面１１ｄに接触しない位置に設けられている。
【００２３】
即ち、カム２２の凸部２２ａが下面１１ｄに突き当たることによりコインダクト１１を押し上げ、コインダクト１１をストッパ下１５から離し、凸部２２ａが下方へ向くことによりコインダクト１１は自重で矢印Ｂ方向に回転し、ストッパ下１５に突き当たる。カム２２が回転することにより、コインダクト１１は所定範囲で往復動作を繰り返す。
【００２４】
次に第２の実施の形態の動作をさらに図５を用いて説明する。図５は第２の実施の形態の動作を示す概略構成図である。硬貨処理装置２の排出口３から硬貨１６が排出されると、硬貨１６はコインダクト１１の底面１１ｃ上に落下する。また硬貨１６の排出は図示しない検出センサにより検出され、この検出信号により図示しない制御部によりモータ２３が回転される。
【００２５】
モータ２３の回転によりカム２２が図５における反時計回り方向に回転する。この回転で、カム２２の凸部２２ａが上方へ向くことによりコインダクト１１が矢印Ｃ方向に回転し、コインダクト１１は押し上げられ、カム２２の凸部２２ａが下方へ向くことによりコインダクト１１が矢印Ｂ方向に回転し、ストッパ下１５に突き当たる。モータ２３の回転により、この動作が繰り返される。
【００２６】
コインダクト１１がストッパ下１５に突き当たることにより、コインダクト１１には衝撃が加えられ、この衝撃が断続的に加えられることにより、コインダクト１１には強制的な振動が継続的に与えられることになる。この振動により、コインダクト１１上に落下した硬貨１６は、コインダクト１１の底面１１ｃ上を滑り落ち易くなる。
【００２７】
モータ２３は硬貨処理装置２の排出口３からの硬貨１６の排出が検出されなくなると、所定時間経過した後に停止する。
【００２８】
以上のように第２の実施の形態では、カム２２の回転運動によりコインダクト１１に振動を与えるようにしたので、コインダクト１１上の硬貨１６を滑り落ち易くすることができる。
【００２９】
上記各実施の形態では、落下する物体として硬貨を例にして説明したが、落下する物体は硬貨のほかに、装置で処理対象となっていない混入物としてもよいことはいうまでもない。また、ダクトは装置外への排出経路に設けられるもの以外に装置内で或る箇所から他の箇所への搬送路に設けられるものでも本発明は適用される。
【図面の簡単な説明】
【００３０】
【図１】第１の実施の形態のダクト構造を示す概略構成図である。
【図２】第１の実施の形態の動作を示す概略構成図である。
【図３】第２の実施の形態のダクト構造を示す概略構成図である。
【図４】第２の実施の形態のカムを示す斜視図である。
【図５】第２の実施の形態の動作を示す概略構成図である。
【図６】従来の金融自動化機器の受け皿部を示す外観斜視図である。
【図７】硬貨の排出部を示す概略側面図である。
【符号の説明】
【００３１】
２  硬貨処理装置
３  排出口
１１  コインダクト
１２  支点
１３  スプリング
１４  ストッパ上
１５  ストッパ下
１６  硬貨
２２  カム
【図１】
2006119833.tif 000003
【図２】
2006119833.tif 000004
【図３】
2006119833.tif 000005
【図４】
2006119833.tif 000006
【図５】
2006119833.tif 000007
【図６】
2006119833.tif 000008
【図７】
2006119833.tif 000009